(57)【特許請求の範囲】
【請求項１】
制御基盤を収納し、遊技機に取り付けられる基盤ケースにおいて、
基盤ケースは、
制御基盤を内部に収納し、遊技機に固定されるケース本体と、
前記ケース本体を覆い、ケース本体に固定されるケースカバーとを備え、
ケース本体には、ケースカバーを取り付けるための複数の取付部を有し、
ケースカバーには、前記複数の取付部に各々対応し、各取付部に固定可能で、かつ、ケースカバーから張り出して、破断部を有する複数の固定部を有し、
前記複数の固定部は、互いに連結されることなく所定の間隔を介して配置されるとともに、前記破断部のみを介して前記ケースカバーに連結し、
前記ケースカバーに対するケース本体への固定を、前記破断部を破断することにより、破断された前記破断部を介して前記ケースカバーに連結していた前記固定部が前記取付部へ固定されたままで残された状態で、解除可能とするとともに、前記複数の固定部のうち、少なくとも１個を使用してケースカバーをケース本体に固定し、残る固定部を次回以降の固定に使用可能にした
ことを特徴とする遊技機用の基盤ケース。
【請求項２】
取付部には、
取付穴を設け、固定部には、前記取付穴にネジをねじ込むための固定穴を設け、前記ネジは、ねじ込み方向にのみねじ込み可能であることを特徴とする請求項１記載の遊技機用の基盤ケース。
【請求項３】
取付部を、
ケース本体の対向する側面に、対になるように配置したことを特徴とする請求項１又は請求項２記載の遊技機用の基盤ケース。
【発明の詳細な説明】
【０００１】
【発明の属する技術分野】
この発明は、パチンコ機やスロットマシンなどの遊技機に用いられる遊技機用の制御基盤を収納するための遊技機用の基盤ケースに関するものである。
【０００２】
【従来の技術】
従来、この種の遊技機用の基盤ケースとしては、パチンコ球やメダルの衝突による破損を防止するため、遊技を制御するためのプログラムを記憶したＲＯＭなどを有する制御基盤を、遊技機に固定されるケース本体と、前記ケース本体を覆うケースカバとからなる基盤ケースの内部に収納していた。
【０００３】
一般に、パチンコ機やスロットマシンなどの遊技機は、遊技を制御するためのプログラムを記憶したＲＯＭなどを有する制御基盤にもとづいて、入賞確率、賞球や払出メダルの枚数などの遊技動作が制御されている。そして、このＲＯＭに記憶されたプログラムの内容如何が、遊技者の利益や遊技機設置店の利益を大きく左右している。そこで、このＲＯＭに記憶されたプログラムは、遊技内容が遊技者の射幸心を徒に煽らない程度のものになるように、遊技機メーカーが調製を行ったものが用いられている。
【０００４】
また、メーカー当初意図していた遊技内容から著しく遊離した遊技内容として遊技者の射幸心を著しく煽るために、遊技店への設置後に、制御基盤に取り付けられた正規のＲＯＭを、不正に改造したＲＯＭに交換してしまう不正行為が後を絶たず、この不正行為を防止するため、みだりにケースカバーを開放しないように、ケースカバーをケース本体にネジ止め固定し、さらには、正規のＲＯＭと外観上見分けがつかない不正に改造されたＲＯＭに交換されてしまわないよう、ケースカバーを開放した事実が一目瞭然になるよう、ケース本体とケースカバーとの間の所定の位置に、シールを張り、シールがはがされていることで、ケースカバーが開放された事実が分かるようにしていた。
【０００５】
【発明が解決しようとする課題】
しかし、上記した従来の遊技機用の基盤ケースでは、ケースカバーは、ケース本体に対して、単にネジ止め固定されているだけなので、ネジをドライバーなどの工具で取り外し、シールを巧妙にはがして、ＲＯＭを交換するなどの不正改造を行ったのちに、ケースカバーを再びネジ止め固定し、シールを元通り貼り付けてしまうような、巧妙な不正行為が依然として行われてしまうといった問題点があった。
【０００６】
この巧妙な不正行為を防止するためには、基盤ケースの構造を、ケースカバーを一度閉めてしまえば、基盤ケースを破壊しない限り、２度とケースカバーを開放することができないようにしてしまうことも考えられるが、遊技店に設置された遊技機の制御基盤などが正規のものであるか否かを、遊技店に設置した状態で検査することや不可避の故障などが生じて制御基盤の修理を行わなければならない場合もあり、この場合に、基盤ケースを一度破壊してしまうと、以降は基盤ケースを閉止状態に保つことができず、以降の不正改造を有効に防止できなくなってしまうという問題点があった。
【０００７】
また、基盤ケースを新しいものに交換する方法も考慮されるが、検査や修理が複数回にわたる場合には、手間やコストがかかりすぎて現実的ではないといった問題点があった。
そこで、請求項１記載の遊技機用の基盤ケースは、上記した従来の技術の有する問題点に鑑みてなされたものであり、その目的とするところは、簡易な構造で制御基盤の不正な改造を未然に防止することができるとともに、検査や修理などにおいては、ケースカバーを容易に開放することができ、再び基盤の不正改造が不可能なようにケースカバーをケース本体に固定することのできる遊技機用の基盤ケースを提供しようとするものである。
【０００８】
これに加え、請求項２又は３記載の遊技機用の基盤ケースは、固定部の破断部を破断する以外に、ケースカバーをケース本体からの固定から離脱することのできないようにして、ケースカバーを開放した痕跡が必ず残る遊技機用の基盤ケースを提供しようとするものである。
【０００９】
【課題を解決するための手段】
（特徴点）
本発明は、上記した目的を達成するためのものであり、以下にその内容を図面に示した発明の実施の形態の一例を用いて説明する。なお、カッコ内の符号は、発明の実施の形態において用いた符号を示すが、本発明の技術的範囲を限定するものではない。
（請求項１）
請求項１記載の遊技機用の基盤ケースは、基盤ケース(10)は、制御基盤(Ｂ)の内部に収納し、遊技機に固定されるケース本体(20)と、前記ケース本体(20)を覆い、ケース本体(20)に固定されるケースカバー(30)とを備え、ケース本体(20)には、ケースカバー(30)を取り付けるための複数の取付部(50)を有し、ケースカバー(30)には、前記複数の取付部(50)に各々対応し、各取付部(50)に固定可能で、かつ、ケースカバー(30)から張り出して、破断部(71)を有する複数の固定部(70)を有し、前記複数の固定部(70)は、互いに連結されることなく所定の間隔を介して配置されるとともに、前記破断部(71)のみを介して前記ケースカバー(30)に連結し、前記ケースカバー(30)に対するケース本体(20)への固定を、前記破断部(71)を破断することにより、破断された前記破断部を介して前記ケースカバーに連結していた前記固定部が前記取付部へ固定されたままで残された状態で、解除可能とするとともに、前記複数の固定部(70)のうち、少なくとも１個を使用してケースカバー(30)をケース本体(20)に固定し、残る固定部(70)を次回以降の固定に使用可能にしたことを特徴とする。
【００１０】
したがって、請求項１記載の遊技機用の基盤ケースによれば、ケース本体(20)に制御基盤(Ｂ)を収納した状態で、少なくとも一つの取付部(50)に、この取付部(50)に対応する固定部(70)を固定することにより、ケース本体(20)にケースカバー(30)を固定することができる。ケース本体(20)にケースカバー(30)が固定された状態では、基盤ケース(10)の内部に収納された制御基盤(Ｂ)は、外から手を触れることができず、もちろんＲＯＭの交換をすることもできない。
【００１１】
検査や修理の際にケースカバー(30)に対するケース本体(20)への固定を解除するには、固定部(70)に設けられた破断部(71)を、所定の手段により破断する。固定部(70)が取付部(50)に固定された状態で、破断部(71)を破断すると、固定部(70)は取付部(50)に固定されたままであるが、ケースカバー(30)と固定部(70)との関係は絶たれることから、ケースカバー(30)を開放することができる。
【００１２】
そして、検査または修理ののち、ケースカバー(30)を閉じ、破断した固定部(70)以外の少なくとも一つの固定部(70)を、対応する取付部(50)に固定することにより、再びケースカバー(30)は、ケース本体(20)に固定される。このように、ケース本体(20)に対するケースカバー(30)の固定を解除するためには、固定部(70)の破断部(71)を破断しなければならず、必ず固定を解除して開放した痕跡が残る。
【００１３】
また、固定部(70)を複数個設けたことから、固定部(70)の破断部(71)を破断しても、破断されていない固定部(70)が残っている限り、再びケースカバー(30)をケース本体(20)に容易かつ低コストでに固定することができ、基盤ケース(10)を取り替えたりする必要がない。
（請求項２）
請求項２記載の遊技機用の基盤ケースは、上記した請求項１記載の特徴点に加え、取付部(50)には、取付穴(51)を設け、固定部(70)には、前記取付穴(51)にネジ(60)をねじ込むための固定穴(73)を設け、前記ネジ(60)は、ねじ込み方向にのみねじ込み可能であることを特徴とする。
【００１４】
したがって、請求項２記載の遊技機用の基盤ケースによれば、ネジを固定穴から取付穴にねじ込むことにより、ケース本体(20)にケースカバー(30)を固定する。取付部(50)を固定部(70)に固定するネジ(60)は、ねじ込み方向にのみ、ねじ込み可能に形成されているので、反ねじ込み方向にネジ(60)を回してネジ(60)を取り出すことによる、ケースカバー(30)をケース本体(20)からの固定から解除することを不能とする。
【００１５】
したがって、必ず固定部(70)の破断部(71)を破断しなければ、ケースカバー(30)をケース本体(20)からの固定から解除することができないから、ケースカバー(30)を開放した痕跡が必ず残る。
（請求項３）
請求項３記載の遊技機用の基盤ケースは、上記した請求項１又は２記載の特徴点に加え、取付部(50)を、ケース本体(20)の対向する側面に、対になるように配置したことを特徴とする請求項１又は請求項２記載の遊技機用の基盤ケース。
【００１６】
したがって、請求項３記載の遊技機用の基盤ケースによれば、対になるように配置された取付部(50)を用いてケースカバー(30)をケース本体(20)へ固定することができる。
【００１７】
【発明の実施の形態】
（図面の説明）
図１〜１１は、本発明の一実施の形態を示すものである。図１は遊技盤の背面に固定された基盤ケースの分解斜視図、図２は基盤ケースの正面図、図３は基盤ケースの要部分解斜視図、図４はネジの斜視図、図５はケース本体へケースカバーを取り付ける前の状態の基盤ケースの部分断面図、図６はケース本体へケースカバーを引っかけた状態の基盤ケースの部分断面図、図７はケース本体へケースカバーを取り付けた状態の基盤ケースの部分断面図、図８はケースカバーをケース本体に固定した状態の要部斜視図、図９はネジを固定部にねじ込む前の状態を示した部分断面図、図１０はネジを固定部にねじ込んだ状態を示した部分断面図、図１１は破断部の一部を破断した状態示した基盤ケースの要部斜視図、図１２はケースカバーをケース本体からの固定から解除した状態をしました要部分解斜視図を各々示す。
（基盤ケース）
図１中、10は、基盤ケースを示すものであり、この基盤ケース10は、全体として内部に収納したものが外部から判別可能な透明な樹脂によって形成されており、制御基盤Ｂを収納するケース本体20と、このケース本体20に固定され、ケース本体20を覆うケースカバー30とを備えている。
【００１８】
また、ケース本体20は、図１に示すように、例えばパチンコ機の開閉扉（図示せず）に取り付けた遊技盤40の裏側に取り付けられる。このケース本体20に予め制御基盤Ｂを収納しておき、このケース本体20を遊技盤40の裏側に取り付けることにより、遊技機に制御基盤Ｂを取り付けることができる。なお、本実施の形態の一例では、遊技機としてパチンコ機を例に挙げて説明したが、基盤ケース10を用いて制御基盤Ｂが取り付けられる遊技機は、パチンコ機に限られず、例えばスロットマシン、アレンジボール機、パチスロなどであってもよい。
【００１９】
また、本実施の形態の一例では、基盤ケース10を遊技機の開閉扉に取り付けた遊技盤40に取り付けた例を示したが、遊技機の筐体の内部に、基盤ケース10を取り付けてたものであってもよい。
（ケース本体）
前記ケース本体20は、図２に示すように、全体として遊技盤40と接する位置とは反対側を開口した箱状をなし、制御基盤Ｂを収納するために、四方をリブ状に立ち上げて枠状に形成した基盤収納部21と、前記基盤収納部21から上方に張り出した、ケース本体20を遊技盤40の裏側に取り付けるための本体取付部22と、前記基盤収納部21の左右両側に張り出した、ケースカバー30を取り付けるための左右一対の取付部50が４組と、前記各取付部50の上方に位置し、ケースカバー30の上部を係止するために上方に突出した左右一対の爪部23とを備えている。
【００２０】
また、前記ケース本体20には、図１に示すように、その下端に、Ｌ字の短辺が下方に向いて突出した係止部24が、横並びに並んで３個形成されている。前記各係止部24は、ケースカバー30をケース本体20に係止するためのものである。前記基盤収納部21は、制御基盤Ｂが収納可能に形成されている。なお、制御基盤Ｂは、図には示さないが、入賞確率や賞球数などの遊技に関する制御を行うための基盤であって、予め遊技に関するプログラムを記憶したＲＯＭやＲＡＭ、遊技に関する制御を行うＣＰＵなどを備えるとともに、遊技盤40の表側に配置された役物や変動表示装置などと接続されている。
【００２１】
前記本体取付部22は、ケース本体20の上部位置で、図には示さないねじを介して、遊技盤40の裏側に固定され、ケース本体20を遊技盤40の裏側に固定している。前記左右一対の取付部50は、図２に示すように、基盤収納部21の左右の側方に沿って所定の間隔を介して並んで配置され、上から第１、第２、第３、第４と、全部で４組設けられている。そして、ケースカバー30が固定される際には、前記左右一対の取付部50の一組が用いられる。なお、前記左右一対の取付部50の各組は、いずれも同じ構成を備えて、左右対称に配置されているため、以降特に断りのない限り便宜上、図２に示す、左側の取付部50について説明する。
【００２２】
また、基盤収納部21に沿って配置された４組の取付部50は、形成された位置が異なるのみで、すべて同じ構成を備えていることから、特に断りのない限り、最初の取付部50についてのみ説明し、残りの取付部50については、その説明を省略する。前記左側の取付部50は、図１,３に示すように、基盤収納部21から左側に張り出して、張り出した先端が円筒状に形成されている。そして、前記左側の取付部50は、その先端が、図１,３に示すように、円筒状に形成されるとともに、先端には、図９,１０に示すように、ネジ60をねじ込むための取付穴51が形成されている。
【００２３】
なお、この取付穴51にねじ込まれるネジ60は、図４に示すように、そのネジ頭部61を、ドライバーによりねじ込み可能に形成されている。具体的には、ネジ頭部61には、ドライバーの先端が差し込まれる差込溝62が形成されているが、その差込溝62の反時計回り方向の側面が、差込溝62の底面から上方に向けて緩やかに上昇するようにテーパーが形成されている。したがって、ドライバーを反時計回り方向に回してネジ60を緩めようとすると、ドライバーの先端がテーパーにしたがって上昇してしまい、ネジ60を緩めることができない。
（ケースカバー）
前記ケースカバー30は、図１に示すように、前記ケース本体20と同様に略方形状をなし、前記ケース本体20の開口部分の全部を塞ぐ大きさに形成されている。
【００２４】
前記ケースカバー30には、その下端に、横並びに並んだ３個の係止穴31が形成されている。前記３個の係止穴31は、ケース本体20の開口部分を塞ぐようにした状態で、ケース本体20の３個の係止部24が各々はまり込むように配置されている。また、ケースカバー30の上部位置の左右には、前記ケース本体20の左右一対の爪部23がはまり込む爪受け部32が設けられている。この左右一対の爪受け部32は、前記ケース本体20の左右一対の爪部23の各々が、はまり込む穴33を備えており、爪部23がはまり込むことで、ケース本体20にケースカバー30を仮止めすることができる。
【００２５】
また、前記ケースカバー30は、図１,２に示すように、その左右の側部に、前記ケースカバー30を前記ケース本体20に固定するための左右一対の固定部70が、ケースカバー30の側部に沿って所定の間隔を介して、４組設けられている。前記左右一対の４組の固定部70は、前記ケース本体20の各取付部50に各々対応して配置され、各々ケースカバー30側面から左右方向に張り出して設けられており、いずれも同一の構成を備えており、左右一組の固定部70についても左右対称に形成されていることから、前記ケース本体20の取付部50と同様に、特に断りのない限り、一組の固定部70であって、左側の取付部50に対応する左側の固定部70についてのみ説明する。
【００２６】
前記左側の固定部70は、図２に示すように、所定の対向間隔を介して対向するとともに、ケースカバー30の側面から外側に張り出した２本の破断部71と、この破断部71の先端に設けられて円筒状をなす頭部カバー72とを備えている。前記２本の破断部71は、例えばニッパなどの簡単な工具を用いて切断可能な幅に形成されている。また、ニッパなどの切断具の先端が挿入しやすいように、所定の対向間隔を介して配置されている。破断の方法は、いずれの方法であってもよいが、簡単に切断するためには、好ましくは、２本の破断部71の間に形成された対向間隔に、切断具の先端を挿入する方法がよい。また、破断部71を切断可能に形成すると、切断のため以外の外部からの圧力を受けて破損してしまうことから、破断部71を切断可能とするとともに、頭部カバー72を前記２本の破断部71で支持することで、工具を用いて破断する以外は容易に破断しないような構成となっている。
【００２７】
前記頭部カバー72には、図９,１０に示すように、その底部には、前記取付部50の取付穴51に対応してネジ60がねじ込み可能な固定穴73が形成されている。そして、この固定穴73からネジ60をねじ込んで取付部50の取付穴51にまでねじ込んで締め込むことにより、左側の取付部50を、同じく対応する位置の左側の固定部70に固定することができ、ケースカバー30をケース本体20に固定することができる。なお、左側の取付部50を対応する左側の固定部70に固定することにより、ケースカバー30をケース本体20に固定することができるが、更に固定を確実なものとするため、対称的に位置する右側の取付部50を対応する位置に配置された右側の固定部70に固定すればよい。
【００２８】
また、頭部カバー72は、ネジ60がねじ込み可能なように、図９,１０に示すように、ネジ頭部61の外径よりも若干大きな内径を有しているが、ネジ頭部61の外径と頭部カバー72の内径との差は、例えばペンチなどの工具が挿入されない程度の差のみを有するように形成されている。したがって、ネジ60を、図１０に示すように、ネジ頭部61までねじ込んでしまうと、ペンチなどの工具でネジ頭部61を挟み込んで、強引にネジ頭部61を反ねじ込み方向（反時計回り）に回転させてネジ60を緩めてしまうこともできない。
【００２９】
したがって、取付穴51から固定穴73にねじ込まれたネジ60は、ネジ60を緩めることができないことから、ケース本体20からケースカバー30を取り外すには、前記２本の破断部71を破断させる必要がある。なお、２本の破断部71を破断させると、取付部50は固定部70に対してネジ止め固定され、固定部70はケースカバー30に対して破断部71のみで連続していることから、２本の破断部71の破断によって、固定部70はケースカバー30から離脱可能となり、この様態でケースカバー30をケース本体20から離れる方向へ引けば、取付部50にネジ止めされた固定部70は、２本の破断部71から離脱して取付部50に残り、ケースカバー30をケース本体20から取り外すことができる。
【００３０】
なお、ケースカバー30をケース本体20から取り外してから、再びケース本体20にケースカバー30を固定するには、２本の破断部71が未だ破断されていない、他の左右一対の取付部50と固定部70とを用いればよい。また、固定部70の頭部カバー72の深さは、ネジ60を固定穴73にのみねじ込んで仮止めしている状態でも、ネジ頭部61が頭部カバー72の上端から突出しない程度の深さを備えている。
【００３１】
したがって、まだ、ケースカバー30をケース本体20に固定していない状態で、固定穴73にのみネジ60をねじ込んで仮止めしておいても、ネジ60が他のものに当たってしまうことがなく、例えば運搬時にもネジ60を仮止めしておくことができる。また、一組の左右一対の取付部50と固定部70を用いて固定している場合であって、使用していない他の組の左右一対の取付部50と固定部70にも、各固定穴73にのみネジ60をねじ込んでおくことで、ネジ60を仮止めしておくことができる。
【００３２】
したがって、ケースカバー30をケース本体20に固定する際に、別に用意したネジ60を紛失したり、別の梱包などから出したりすることがないことから、迅速な作業が可能となるとともに、運搬時に、別の梱包を必要としない。また、ケースカバー30の左右側の上方には、前記ケース本体20の一対の爪部23に対応し、前記一対の爪部23が各々はまり込む一対の爪受け部32が形成されている。前記一対の爪受け部32には、ケース本体20の各係止部24に、ケースカバー30の各係止穴31を各々はめ込んだ状態で、ケースカバー30を係止穴31を支点として上方に起こし、そのまま、ケース本体20の開口部を塞ぐようにすると、前記一対の爪部23が、下方からはまり込む穴33が形成されている。
【００３３】
したがって、前記一対の爪部23が前記一対の爪受け部32にはまり込んだ状態では、前記係合穴にはまり込んだ、係合部は、短辺が下を向いた断面Ｌ字状をなしているので、爪受け部32にはまり込んだ爪部23を取り外さない限り、ケース本体20からケースカバー30を取り外すことができない。つぎに、上記構成を備えた基盤ケース10を用いて、遊技盤40の裏側に固定され、制御基盤Ｂを収納したケース本体20に、ケースカバー30を固定する手順、ケース本体20にケースカバー30が固定された状態からケースカバー30を取り外す手順及びケース本体20に再びケースカバー30を固定する手順について、説明する。
【００３４】
まず、制御基盤Ｂを収納したケース本体20を、図１,５に示すように、遊技盤40の裏側に固定した状態で、ケースカバー30をケース本体20に取り付ける。前記ケース本体20にケースカバー30を取り付けるには、まず、図５に示すように、ケース本体20とケースカバー30とが分離している状態から、図６,７に示すように、ケースカバー30の各係止穴31をケース本体20の各係止部24に差し込んで、ケース本体20の爪部23に、ケースカバー30の爪受け部32をはめ込む。この状態では、爪部23は爪受け部32に、はまり込んでいるので、ケース本体20へケースカバー30を固定する作業中に、ケース本体20から手を離してもケースカバー30がケース本体20から容易に離脱することがなく、固定作業を効率よく行うことができる。また、爪受け部32に爪部23をはめ込ませる際には、図６に示すように、爪受け部32をやや外側に変形させてから、爪部23を爪受け部32の穴にはめ込む必要があるから、爪部23を爪受け部32から外すには、再びケースカバー30を外側に変形させなければならないことから、仮止めであってもケースカバー30がケース本体20から容易に離脱するようなことがない。
【００３５】
つぎに、ケース本体20にケースカバー30を仮止めした状態で、図９に示すように、固定部70の固定穴73に仮止めされたネジ60を更にねじ込んで、ネジ60を、図８,１０に示すように、取付部50の取付穴51に挿入し固定する。なお、取付部50の取付穴51までねじ込んだネジ60は、前記のようにねじ込み方向にのみ、ねじ込み可能に形成されていることから、ドライバーなどのねじ込み用の工具を用いてネジ60を緩めることができない。また、取付穴51までねじ込んだネジ60は、頭部カバー72によってネジ頭部61がその上端まで覆われているので、ペンチなどのネジ頭部61を挟む工具によってネジ頭部61を挟めず、結果としてネジ60を緩めることができない。
【００３６】
したがって、ネジ60を緩めることによって、ケース本体20からケースカバー30を取り外すことはできない。つぎに、ケース本体20からケースカバー30を取り外すには、図１１に示すように、ニッパなどの切断具を用いて、固定部70の２本の破断部71を破断する。各破断部71は、ニッパなどの切断具によって破断しやすい幅に形成されているとともに、２本の破断部71は、所定の対向間隔を介して並んでいることからニッパなどの切断具の先端が挿入し易いようになっている。
【００３７】
また、固定部70は、ケースカバー30と２本の破断部71のみで連続していることから、２本の破断部71を切断すると、固定部70とケースカバー30とは離脱可能となる。したがって、ケースカバー30をケース本体20から離脱する方向に引くと、ケースカバー30は、図１２に示すように、ケース本体20から取り外すことができる。
【００３８】
このように、ケース本体20からケースカバー30を取り外すためには、固定部70の２本の破断部71を破断しなければならないことから、容易にケースカバー30を開放することができず、ケースカバー30をみだりに開放して、制御基盤Ｂを改造したり、プログラムを記憶したＲＯＭなどの交換することができない。また、ケースカバー30を通常の修理や検査などの都合以外で開放した場合には、破断部71の破断をもって開放した痕跡となることから、不正に開放したことが、直ちに判明する。
【００３９】
つぎに、ケース本体20からケースカバー30を取り外して、制御基盤Ｂの修理や検査を行った後に、ケースカバー30をケース本体20に再び固定するためには、先に２本の破断部71を破断した、一組の左右一対の固定部70と取付部50とは用いることができないから、次の一組の一対の固定部70と取付部50とを用いて、先に説明した要領で、取付部50と固定部70とをネジ止め固定すればよい。
【００４０】
本実施の形態の一例においては、各一対の取付部50と固定部70とは、全部で４組設けられていることから、最初の固定を除き、ケース本体20にケースカバー30を３回再固定することができる。また、ケースカバー30をケース本体20に最初に固定した状態から、ケースカバー30を取り外し、再びケース本体20に固定する作業は、合計で３回行うことができる。
【００４１】
また、修理や検査のためにケースカバー30を開放した事実を記録しておけば、記録にない破断部71の破断の事実が認められれば、直ちにケースカバー30を不正に開放したことが判明して便利である。また、左右一対の取付部50と固定部70とを備えていることから、２本の破断部71を破断することにより、ケースカバー30をケース本体20から取り外しても、破断されていない一組の左右一対の取付部50と固定部70とを用いて、再びケース本体20にケースカバー30を固定することができ、極めて経済的である。
【００４２】
【発明の効果】
本発明は、以上のように構成されているので、以下に記載されるような効果を奏する。
請求項１記載の遊技機用の基盤ケースによれば、簡易な構造で制御基盤の不正な改造を未然に防止することができるとともに、検査や修理などにおいては、ケースカバーを容易に開放することができ、再び基盤の不正改造が不可能なようにケースカバーをケース本体に固定することのできる遊技機用の基盤ケースを提供することができる。
【００４３】
これに加え、請求項２または３記載の遊技機用の基盤ケースによれば、固定部の破断部71を破断する以外に、ケースカバーをケース本体からの固定から離脱することのできないようにして、ケースカバーを開放した痕跡が必ず残る遊技機用の基盤ケースを提供することができる。
【図面の簡単な説明】
【図１】  遊技盤の背面に固定された基盤ケースの分解斜視図である。
【図２】  基盤ケースの正面図である。
【図３】  基盤ケースの要部分解斜視図である。
【図４】  ネジの斜視図である。
【図５】  ケース本体へケースカバーを取り付ける前の状態の基盤ケースの部分断面図である。
【図６】  ケース本体へケースカバーを引っかけた状態の基盤ケースの部分断面図である。
【図７】  ケース本体へケースカバーを取り付けた状態の基盤ケースの部分断面図である。
【図８】  ネジを固定部にねじ込む前の状態を示した部分断面図である。
【図９】  ネジを固定部にねじ込む前の状態を示した部分断面図である。
【図１０】  ネジを固定部にねじ込んだ状態を示した部分断面図である。
【図１１】  破断部の一部を破断した状態示した基盤ケースの要部斜視図である。
【図１２】  ケースカバーをケース本体からの固定から解除した状態をしました要部分解斜視図である。
【符号の説明】
10  基盤ケース      20  ケース本体
21  基盤収納部      22  本体取付部
23  爪部            24  係止部
30  ケースカバー    31  係止穴
32  爪受け部        33  穴
40  遊技盤          50  取付部
51  取付穴          60  ネジ
61  ネジ頭部        62  差込溝
70  固定部          71  破断部
72  頭部カバー      73  固定穴
Ｂ  制御基盤
【図１】
0003701438.tif 000002
【図２】
0003701438.tif 000003
【図３】
0003701438.tif 000004
【図４】
0003701438.tif 000005
【図５】
0003701438.tif 000006
【図６】
0003701438.tif 000007
【図７】
0003701438.tif 000008
【図８】
0003701438.tif 000009
【図９】
0003701438.tif 000010
【図１０】
0003701438.tif 000011
【図１１】
0003701438.tif 000012
【図１２】
0003701438.tif 000013